(57)【要約】    【課題】  場所をとらずに、コンパクトに複数のハンガを収容することができ、しかも簡単に出し入れできるハンガ保持具を提供する。    【解決手段】  ハンガ保持具１は、３つの板状部材５ａ、５ｂ、５ｃが三つ又を形成するように結合あるいは一体に成形された連結部材５、および各板状部材５ａの先端側にそれぞれ設けられ、ハンガを把持する把持部材１０から構成される。把持部材１０が開かれた状態にあると、ハンガ２０をその内側に収容することができる。適当な本数のハンガを把持部材１０の内側に収容すると、把持部材１０を閉じた状態にする。ハンガを使用したい場合、側面部材１２、１４を内側に軽く押圧することで、上面部材１１の係止部１１ｂと側面部材１４の係止部１４ａの係合が外れ、上面部材１１を回転させ、把持部材１０を開いた状態にする。【選択図】      図１_
2005334563.tif 000002
【特許請求の範囲】
【請求項１】
複数のハンガを束ねるハンガ保持具であって、
前記ハンガの複数箇所をそれぞれ把持する複数の把持部材と、
前記複数の把持部材を連結する連結部材とを有することを特徴とするハンガ保持具。
【請求項２】
前記把持部材は、前記ハンガを形成する一対の傾斜ロッド部および水平ロッド部のいずれかを把持し、前記把持部材には、前記ハンガを出し入れするための開口部が形成されたことを特徴とする請求項１記載のハンガ保持具。
【請求項３】
前記把持部材は、前記開口部を開閉自在に支持された開閉部材を有することを特徴とする請求項２記載のハンガ保持具。
【請求項４】
前記複数の把持部材は、前記一対の傾斜ロッド部および水平ロッド部をそれぞれ把持する３つの把持部材からなり、前記連結部材は、前記３つの把持部材を連結する三つ又部材からなることを特徴とする請求項１記載のハンガ保持具。
【請求項５】
前記複数の把持部材は、前記一対の傾斜ロッド部および水平ロッド部のうち、いずれか２箇所を把持する２つの把持部材からなり、前記連結部材は、前記２つの把持部材を連結することを特徴とする請求項１記載のハンガ保持具。
【請求項６】
前記把持部材は、前記連結部材と一体に成形された、あるいは前記連結部材に取り付けられた底面部材、一対の側面部材および上面部材からなる枠体に形成され、前記上面部材は、前記一方の側面部材の先端部に回動自在に支持され、前記他方の側面部材の先端部と係合自在であることを特徴とする請求項１、４または５記載のハンガ保持具。
【請求項７】
前記上面部材を開方向に付勢するバネ部材が前記一方の側面部材と前記上面部材の間に設けられ、前記上面部材と前記他方の側面部材の係合が外れると、前記上面部材は前記バネ部材に付勢されて回動し、前記把持部材は開状態となることを特徴とする請求項６記載のハンガ保持具。
【請求項８】
前記把持部材は、前記連結部材と一体に成形された、あるいは前記連結部材に取り付けられた一方のクランプ部と、該一方のクランプ部と先端部同士が当接して前記一方のクランプ部とともに閉じられた空間を形成する他方のクランプ部と、前記一対のクランプ部を開閉自在に支持する軸部と、前記軸部を中心に前記一対のクランプ部を閉じ方向に付勢するバネ部材と、前記軸部を中心に回動する一対のクランプ部の後端部に設けられ、前記バネ部材の付勢力に抗した力を付与するための挟持部とを有することを特徴とする請求項４または５記載のハンガ保持具。
【請求項９】
前記連結部材は、変形自在であることを特徴とする請求項８記載のハンガ保持具。
【請求項１０】
前記変形自在な連結部材には、鎖が用いられたことを特徴とする請求項９記載のハンガ保持具。
【発明の詳細な説明】
【技術分野】
【０００１】
本発明は、複数のハンガを束ねるハンガ保持具に関する。
【背景技術】
【０００２】
洋品店やデパート等の洋服売場では、使用されていないハンガが多数存在している。これら使用されていない多数のハンガを整理するものとして、従来、ハンガ整理装置が知られている（特許文献１）。このハンガ整理装置は、基台と、この基台に立設するフック側ガイド体と、フック側ガイド体に対して離間・接近自在となるように基台に装着する本体側ガイド体とを備え、フック側ガイド体には、比較的接近した二本の平行なガイド柱部を設け、本体側ガイド体には、比較的離れた二本の平行なガイド柱部を設け、フック側ガイド体の二本のガイド柱部の間に、ハンガのフックの首部が収まり、本体側ガイド体の二本のガイド柱部にハンガの本体が接触するように構成されている。このようなハンガ整理装置を用いることで、多数のハンガを整然と重ねた状態で保持することができ、便利である。
【特許文献１】特開平１０−５０８８号公報
【発明の開示】
【発明が解決しようとする課題】
【０００３】
しかしながら、上記従来のハンガ整理装置は、洋服売場などで使用されていない多数のハンガを収容するものであって、大型のものであり、設置場所を必要とした。また構造も複雑であり、ハンガの出し入れを頻繁に行う場合、その手間が煩わしかった。このように、しばらく使用しない大量のハンガの整理には適したものであっても、例えば一般家庭で発生する程度の、比較的本数の少ないハンガを整理する場合には、ふさわしいものではなかった。すなわち、ハンガを整理するものとして、もっと場所をとらず、簡単に出し入れできるものが従来、存在しなかった。
【０００４】
そこで、本発明は、場所をとらずに、コンパクトに複数のハンガを束ねることができ、しかも簡単に出し入れできるハンガ保持具を提供することを目的とする。
【課題を解決するための手段】
【０００５】
上記目的を達成するために、本発明のハンガ保持具は、複数のハンガを束ねるハンガ保持具であって、前記ハンガの複数箇所をそれぞれ把持する複数の把持部材と、前記複数の把持部材を連結する連結部材とを有することを特徴とする。これにより、場所をとらずに、コンパクトに複数のハンガを束ねることができ、しかも簡単に出し入れできる。
【０００６】
また、前記把持部材は、前記ハンガを形成する一対の傾斜ロッド部および水平ロッド部のいずれかを把持し、前記把持部材には、前記ハンガを出し入れするための開口部が形成されたことを特徴とする。
【０００７】
また、前記把持部材は、前記開口部を開閉自在に支持された開閉部材を有することを特徴とする。
【０００８】
また、前記複数の把持部材は、前記一対の傾斜ロッド部および水平ロッド部をそれぞれ把持する３つの把持部材からなり、前記連結部材は、前記３つの把持部材を連結する三つ又部材からなることを特徴とする。これにより、ハンガの三方を把持することで、確実に束ねることができる。
【０００９】
また、前記複数の把持部材は、前記一対の傾斜ロッド部および水平ロッド部のうち、いずれか２箇所を把持する２つの把持部材からなり、前記連結部材は、前記２つの把持部材を連結することを特徴とする。これにより、把持操作が簡単になる。
【００１０】
また、前記把持部材は、前記連結部材と一体に成形された、あるいは前記連結部材に取り付けられた底面部材、一対の側面部材および上面部材からなる枠体に形成され、前記上面部材は、前記一方の側面部材の先端部に回動自在に支持され、前記他方の側面部材の先端部と係合自在であることを特徴とする。これにより、開閉動作を簡単に行える。
【００１１】
また、前記上面部材を開方向に付勢するバネ部材が前記一方の側面部材と前記上面部材の間に設けられ、前記上面部材と前記他方の側面部材の係合が外れると、前記上面部材は前記バネ部材に付勢されて回動し、前記把持部材は開状態となることを特徴とする。これにより、片手で簡単に開操作を行うことができる。
【００１２】
また、前記把持部材は、前記連結部材と一体に成形された、あるいは前記連結部材に取り付けられた一方のクランプ部と、該一方のクランプ部と先端部同士が当接して前記一方のクランプ部とともに閉じられた空間を形成する他方のクランプ部と、前記一対のクランプ部を開閉自在に支持する軸部と、前記軸部を中心に前記一対のクランプ部を閉じ方向に付勢するバネ部材と、前記軸部を中心に回動する一対のクランプ部の後端部に設けられ、前記バネ部材の付勢力に抗した力を付与するための挟持部とを有することを特徴とする。これにより、挟持部を挟むように押圧しながら開いた後、挟持部を離すだけで簡単にハンガの把持操作を行うことができる。
【００１３】
また、前記連結部材は、変形自在であることを特徴とする。さらに、前記変形自在な連結部材には、鎖が用いられたことを特徴とする。これにより、把持操作を行う際の自由度が増し、簡単にハンガを束ねることができる。また、不使用時には、小さくまとめることができ、邪魔になりにくい。
【発明の効果】
【００１４】
本発明のハンガ保持具によれば、場所をとらずに、コンパクトに複数のハンガを束ねることができ、しかも簡単に出し入れできる。
【発明を実施するための最良の形態】
【００１５】
本発明のハンガ保持具の実施の形態について図面を参照しながら説明する。
【００１６】
［第１の実施形態］
【００１７】
図１は第１の実施形態のハンガ保持具の外観を示す斜視図である。このハンガ保持具１は、３つの板状部材５ａ、５ｂ、５ｃが三つ又を形成するように結合あるいは一体に成形された連結部材５、および各板状部材５ａ、５ｂ、５ｃの先端側にそれぞれ設けられ、ハンガを把持する把持部材１０から構成される。ここで、連結部材５および把持部材１０は、一体に成形されてもよいし、別々の部材として成形され、結合されたものでもよい。本実施形態では、別々の部材として成形された後、結合されている。また、これらは、同一の材質であってよいし、異なる材質であってもよい。本実施形態では、連結部材および把持部材は、アクリル、ポリプロピレン、無発泡ウレタン等の樹脂を材質としている。尚、樹脂の代わりに、金属、木材、紙等の材質が使用されてもよい。
【００１８】
図２は把持部材１０の形状を示す斜視図である。把持部材１０は、上面部材１１、側面部材１２、１４および底面部材１３からなる枠体に形成されている。底面部材１３は、連結部材５の板状部材にねじ止めや接着などによって取り付けられている。尚、底面部材が連結部材と一体に成形されてもよいことは前述した通りである。上面部材１１は、後述するように、側面部材１２に対して軸１５を中心に回動自在である。上面部材１１の先端部は、略９０度に屈曲した屈曲部１１ａに形成され、その先端側には、係止部１１ｂが形成されている。また、上面部材１１と当接する側面部材１４の先端側には、係止部１１ｂと係合する係止部１４ａが形成されている。
【００１９】
図３は上面部材１１および側面部材１２の回動機構を示す図である。この回動機構では、側面部材１２の上面には凹部１２ａが形成され、上面部材１１の端面には凹部１２ａに合致するように凸部１１ｃが形成されている。凸部１１ｃが凹部１２ａに嵌合された状態で軸１５が挿通される中心孔が、凹部１２ａの両側の突起部１２ｂおよび凸部１１ｃにそれぞれ形成されている。したがって、上面部材１１は、側面部材１２に挿通された軸１５を中心に回動自在である。
【００２０】
上面部材１１を回動させて把持部材１０を閉じる場合、軸１５を中心に回動する上面部材１１を側面部材１４側に押圧することで、係止部１１ｂと当接する係止部１４ａが内側に押圧され、側面部材１４の先端部が内側に一旦撓んだ後（図２の点線状態）、係止部１１ｂが係止部１４ａの山部を越えることで、元に近い状態に戻る。これにより、上面部材１１は側面部材１４から外れなくなる。
【００２１】
一方、閉じられた状態（図２参照）から把持部材１０を開く場合、側面部材１２、１４を軽く挟むように内側に押圧すると、上面部材１１の係止部１１ｂと側面部材１４の係止部１４ａの係合が外れ、上面部材１１は軸１５を中心に回動自在となる。この状態で上面部材１１を上に持ち上げることで、把持部材１０は開かれる。
【００２２】
図４はハンガ保持具１およびこれに収容されるハンガの位置関係を示す平面図である。ハンガ２０は、周知のように、略二等辺三角形の形状を有するボディ部２０ａおよびその頂部の引掛け部２０ｂからなる。ここでは、針金を材質とした単純な形状のハンガが示されている。ボディ部２０ａは、水平ロッド２０ｃおよびその両端から頂部に至る一対の傾斜ロッド２０ｄからできている。本実施形態では、頂角は略１２０°、底角はそれぞれ略３０°となっている。尚、ハンガとしては、図４に示すような単純な形状のものに限らないことは勿論である。
【００２３】
このようなハンガ２０を収容するハンガ保持具１は、３つの把持部材１０が一対の傾斜ロッド２０ｄおよび水平ロッド２０ｃに対してそれぞれ略垂直に位置するように、頂角と対向する連結部材５の分岐角が略６０°となり、それ以外の２つの分岐角が略１２０°となるように、形成されている。このような位置関係が満足される限り、各板状部材５ａ、５ｂ、５ｃの長さ関係は任意である。尚、把持部材が板状部材に対して傾斜して取り付けられる場合、上記関係を有していなくても、３つの把持部材１０が一対の傾斜ロッド２０ｄおよび水平ロッド２０ｃに対してそれぞれ略垂直に位置するように配置できることは勿論である。
【００２４】
上記構成を有するハンガ保持具の使用動作を示す。図５は把持部材１０が開かれた状態のハンガ保持具を示す斜視図である。上面部材１１と側面部材１４の係合が外れて、把持部材１０が開かれた状態にあると、ハンガ２０をそれぞれの把持部材１０の内側に収容することができる。ハンガの収容数は、ハンガの形状や把持部材１０の内側の空間の広さに依存する。ここでは、簡単な針金でできたハンガの場合、２０本程度のハンガが収容可能である。適当な本数のハンガを把持部材１０の内側に収容すると、上面部材１１を回動させて側面部材１４の上から軽く押圧する。この結果、前述したように、上面部材１１の係止部１１ｂが側面部材１４の係止部１４ａと係合し、把持部材１０は閉じた状態となる。このように、把持部材１０を閉じた状態にすることで、多くの本数のハンガを簡単に束ねることができる。一方、束ねたハンガを使用したい場合、側面部材１２、１４を内側に軽く押圧することで、上面部材１１の係止部１１ｂと側面部材１４の係止部１４ａの係合が外れ、上面部材１１を回転させ、把持部材１０を開いた状態にする。必要な本数のハンガを使用したら、元通り、把持部材１０を閉じることで、残りのハンガは束ねた状態のままとなる。
【００２５】
このように、本実施形態のハンガ保持具によれば、場所をとらずに、コンパクトにたくさんのハンガを束ねることができ、しかも出し入れも容易である。また、ハンガの三方を把持することで、確実に束ねることができる。また、開閉操作も簡単に行える。
【００２６】
尚、四角形の枠体からなる把持部材としては、上記実施形態のものに限定されず、種々のものが挙げられる。図６は他の把持部材の構造を示す斜視図である。図２に示した把持部材と同一の構成要素には、同一の符号が使用される。この把持部材１７では、上面部材１１と側面部材１２の回転機構の内側には、バネ部材１８が設けられており、このバネ部材１８は上面部材１１を図中矢印ｂ方向に付勢する。したがって、上面部材１１の係止部１１ｂと側面部材１４の係止部１４ａの係合が外れると、上面部材１１は自動的に回転し、把持部材１０は開いた状態となる。バネ部材１８として、ここではコイルばねが用いられているが、リング型のばね等、特に限定されない。これにより、片手で簡単に開操作を行うことができる。
【００２７】
図７は他の把持部材の構造を示す図である。この把持部材２０は、上面部材２１、一対の側面部材２２、２３および底面部材２４からなる枠体に形成されている。上面部材２１は、側面部材２１に対し、軸２８を中心に揺動自在に支持されており、上面部材２１の端部および側面部材２２間には、上下に一対のばね部材２５、２６が設けられている。上面部材２１は、ばね部材２５、２６にそれぞれ付勢されており、略水平位置で安定した状態にある（図７の実線位置）。ハンガを出し入れする際、上面部材２１は上下に揺動し、ハンガを簡単に出し入れすることができる。
【００２８】
図８はその他の種々の把持部材の形状を示す図である。同図（Ａ）では、上面部材は２つの部材に分かれており、各側面部材から底面に向かって下がった第１の部材４１ａおよび第２の部材４１ｂからなる。これらの間には、ハンガを出し入れする際の空間部が設けられている。同図（Ｂ）では、同図（Ａ）と同様、上面部材は２つの部材に分かれており、第１の部材４２ａは底面に向かって下がっているが、第２の部材４２ｂは上方に向かって形成されている。これらの間には、斜めにハンガを出し入れする際の空間部が設けられている。同図（Ｃ）では、第１の部材４３ａおよび第２の部材４３ｂは略水平になっている。第１および第２の部材の先端部には、それぞれゴム部材４３ｃ、４３ｄが設けられており、これら一対のゴム部材によって把持部材は閉じられている。ハンガを出し入れする際、ゴム部材４３ｃ、４３ｄを押し除けるようにする。同図（Ｄ）では、第１の部材４４ａおよび第２の部材４４ｂの各先端部は、底面部材に向かって垂れ下がるようにかつ円弧状に形成されている。これらの内側には、空間部が設けられており、ハンガを出し入れする際、円弧状に形成された第１および第２の部材の各先端部は、ガイドの役割を果たすことになる。同図（Ｅ）では、図２と同様の構造であるが、枠体のうち、一対の側面部材４５ａ、４５ｂが長くなっている。同図（Ｆ）では、図２と同様の構造を有する枠体が板状部材４６を挟んで上下一対に設けられている。
【００２９】
また、上記実施形態では、ハンガ保持具は、三つ又に形成された連結部材の各板状部材の上に、それぞれ把持部材が取り付けられていたが、このような形状に限定されるものではない。図９は他のハンガ保持具の外観を示す斜視図である。このハンガ保持具３０では、直線状の連結部材３３の両側にそれぞれ把持部材３１、３２が所定角度傾けて取り付けられている。図９では、左右一対のハンガ保持具によってハンガは束ねられているが、どちらか一方だけであってもよい。この場合、把持操作が簡単になる。図１０は４つの把持部材が設けられたハンガ保持具を示す斜視図である。このハンガ保持具４０は、図９に示した左右一対のハンガ保持具を連結させた構造になっている。
【００３０】
［第２の実施形態］
【００３１】
図１１は第２の実施形態におけるハンガ保持具の構成を示す斜視図である。前記第１の実施形態と比べ、把持部材の構造が大きく異なっている。すなわち、第２の実施形態のハンガ保持具５０では、把持部材６０は、開閉自在な一対のクランプ部６１、６２およびこの一対のクランプ部６１、６２を閉じ方向に付勢するバネ部材６３を有する。一方のクランプ部６２は、三つ又に形成された連結部材７０の各板状部材７１と一体に成形されている。他方のクランプ部６１は軸部６５を中心に回動自在であり、その後端側には、挟持部６１ａが形成されている。バネ部材６３は、軸部６５を外嵌するように、挟持部６１ａと板状部材７１との間に設けられている。一対のクランプ部６１、６２は、それぞれ半円形をしており、バネ部材６３によって付勢され閉じられた状態では、その内側に円形の空間部６４が形成される。この空間部６４の大きさによって、把持可能なハンガのサイズや本数が決まってくる。ここでは、バネ部材としてコイルばねが使用されているが、リング型ばねなど、特に限定されない。一方、一対のクランプ部６１、６２を開く場合、挟持部６１ａと板状部材７１を挟むように押圧することで、一対のクランプ部６１、６２はバネ部材６３の付勢力に抗して開かれる。また、挟持部６１ａを離すことで、バネ部材６３によって一対のクランプ部６１、６２は付勢され閉じた状態となる。尚、把持部材および連結部材の平面的な位置関係は、前記第１の実施形態の場合（図４参照）と同様である。
【００３２】
このような構成を有するハンガ保持具では、適当な本数のハンガを揃えた状態で、一対のクランプ部６１、６２を開き、その内側に収容する。つまり、挟持部６１ａと板状部材７１を挟むように押圧しながら開いた後、挟持部を離すだけで簡単にハンガの把持動作を行うことができる。そして、３つの把持部材の全てに対し、同様の把持動作を行うことで、複数のハンガは束ねられた状態となる。ハンガ保持具５０に束ねられたハンガを外す場合も同様であり、各把持部材における一対のクランプ部６１、６２を開く。
【００３３】
図１２は他のハンガ保持具を示す斜視図である。このハンガ保持具８０では、直線状の連結部材８５の両側に、一対のクランプ部８７、８８を有する把持部材８９が設けられている。クランプ部８７、８８の開閉動作は、前述したクランプ部６１、６２と同様である。図１２では、ハンガの傾斜ロッド部および水平ロッド部を挟むように、左右一対のハンガ保持具８０が取り付けられているが、１つだけでもよいことは勿論である。また、ハンガの傾斜ロッド部および水平ロッド部を把持する代わりに、ハンガの一対の傾斜ロッド部を把持するように取り付けられるハンガ保持具であってもよい。
【００３４】
図１３は他のハンガ保持具を示す斜視図である。このハンガ保持具９０では、連結部材が変形自在になっている。ここでは、一対のクランプ部からなる把持部材９５を繋ぐ連結部材９３として、変形自在な鎖が用いられている。尚、鎖に限らず、ロープ等であってもよい。また、クランプ部の構造および開閉動作は、前述したクランプ部６１、６２と同様である。このように、連結部材が変形自在になっていることで、把持操作を行う際の自由度が増し、簡単にハンガを束ねることができる。また、不使用時には、小さくまとめることができ、邪魔になりにくい。また、把持部材９５および連結部材９３の平面的な位置関係は、前記第１の実施形態の場合（図４参照）と同様である。
【００３５】
尚、本発明は、上記実施形態の構成に限られるものではなく、特許請求の範囲で示した機能、または本実施形態の構成が持つ機能が達成できる構成であればどのようなものであっても適用可能である。
【００３６】
例えば、図１２に示す２つの把持部材を有するハンガ保持具においても、把持部材（一対のクランプ部）間を繋ぐ連結部材に、鎖等の変形自在なものを用いてもよい。また、３つの板状部材に分岐された連結部材の中心部にフックを設け、未使用状態あるいは未使用のハンガを束ねている状態のとき、物干し竿などの棒材に引っ掛けて吊しておけるようにしてもよい。
【図面の簡単な説明】
【００３７】
【図１】第１の実施形態のハンガ保持具の外観を示す斜視図である。
【図２】把持部材１０の形状を示す斜視図である。
【図３】上面部材１１および側面部材１２の回動機構を示す図である。
【図４】ハンガ保持具およびこれに収容されるハンガの位置関係を示す平面図である。
【図５】把持部材１０が開かれた状態のハンガ保持具を示す斜視図である。
【図６】他の把持部材の構造を示す斜視図である。
【図７】他の把持部材の構造を示す図である。
【図８】その他の種々の把持部材の形状を示す図である。
【図９】他のハンガ保持具の外観を示す斜視図である。
【図１０】４つの把持部材が設けられたハンガ保持具を示す斜視図である。
【図１１】第２の実施形態におけるハンガ保持具の構成を示す斜視図である。
【図１２】他のハンガ保持具を示す斜視図である。
【図１３】他のハンガ保持具を示す斜視図である。
【符号の説明】
【００３８】
１、５０、９０  ハンガ保持具
５、７０、９３  連結部材
１０、６０、９５  把持部材
１１  上面部材
１８、６３  ばね部材
６１、６２  クランプ部
【図１】
2005334563.tif 000003
【図２】
2005334563.tif 000004
【図３】
2005334563.tif 000005
【図４】
2005334563.tif 000006
【図５】
2005334563.tif 000007
【図６】
2005334563.tif 000008
【図７】
2005334563.tif 000009
【図８】
2005334563.tif 000010
【図９】
2005334563.tif 000011
【図１０】
2005334563.tif 000012
【図１１】
2005334563.tif 000013
【図１２】
2005334563.tif 000014
【図１３】
2005334563.tif 000015